【手続補正書】
【提出日】平成23年12月15日(2011.12.15)
【手続補正１】
【補正対象書類名】特許請求の範囲
【補正対象項目名】全文
【補正方法】変更
【補正の内容】
【特許請求の範囲】
【請求項１】
ローカル記憶デバイス（ＬＳＤ）であって、
ホストデバイスファイルシステム（ＨＤＦＳ）とＬＳＤドライバとを備えるホストデバイス（ＨＤ）と前記ＬＳＤとの間の通信パスを提供するＨＤ／ＬＳＤインターフェイスと、
前記ＨＤＦＳによって管理される第１の記憶エリアであって、前記ＨＤＦＳは、ブロックコマンドを生成し、前記ＨＤ／ＬＳＤインターフェイスを経由して前記第１の記憶エリアに前記ブロックコマンドを渡すことによって、前記第１の記憶エリアを管理するものである第１の記憶エリアと、
前記ＨＤ／ＬＳＤインターフェイスおよび前記第１の記憶エリアと通信するコントローラであって、前記ＨＤＦＳによる介入なしに、前記第１の記憶エリア上の記憶動作をアプリケーションによって強制的に実行するように構成されたコントローラと、を備え、
前記アプリケーションは、前記ＨＤと通信し、前記ＨＤＦＳまたは前記ＬＳＤドライバのいずれかとの通信パスを利用しないローカル記憶デバイス（ＬＳＤ）。
【請求項２】
請求項１記載のＬＳＤにおいて、
前記記憶動作は、読み出し動作、書き込み動作、消去動作、ＬＳＤプロパティ検索動作、および第１記憶エリアプロパティ変更動作からなるグループから選択されるＬＳＤ。
【請求項３】
請求項２記載のＬＳＤにおいて、
前記第１記憶エリアプロパティ変更動作は、残りの容量を変更することおよびパーティショニングを変更することからなるグループから選択されるＬＳＤ。
【請求項４】
請求項１記載のＬＳＤにおいて、
前記ＨＤＦＳによって制御されず、前記ＨＤＦＳには認識されない第２の記憶エリアと、
前記ＨＤによる介入なしに、前記第２の記憶エリアと前記第１の記憶エリアとの間の通信を容易にするように構成された内部インターフェイスと、
をさらに備えるＬＳＤ。
【請求項５】
請求項４記載のＬＳＤにおいて、
前記第１の記憶エリアは、ダミーコンテンツを含むＬＳＤ。
【請求項６】
請求項５記載のＬＳＤにおいて、
前記記憶動作が書き込み動作の場合には、前記アプリケーションは、前記ＨＤによる介入なしに、前記第１の記憶エリア内のダミーコンテンツを更新されたコンテンツとともに更新させるように構成されるＬＳＤ。
【請求項７】
請求項６記載のＬＳＤにおいて、
前記内部インターフェイスを経由して前記第２の記憶エリアから前記第１の記憶エリアに前記更新されたコンテンツを渡すＬＳＤ。
【請求項８】
請求項１記載のＬＳＤにおいて、
前記アプリケーションが前記ＨＤおよび前記ＬＳＤの外部にあるデバイスに存在する場合には、発見サーバは、前記ＨＤと前記アプリケーションとの間の通信パスの確立を容易にするように構成されるＬＳＤ。
【請求項９】
請求項１記載のＬＳＤにおいて、
前記コントローラは、
前記ＨＤから独立している、ＨＤにより開始されたプロセスに役立つように作成されたものではないＬＳＤ論理リクエストを生成し、かつ
前記ＨＤ／ＬＳＤインターフェイスを介して前記ＨＤに前記ＬＳＤ論理リクエストを送信して、前記ＨＤに、
前記ＨＤと、前記ＨＤおよび前記ＬＳＤの外部にありネットワークに含まれるデバイスに関連したリモートアプリケーションとの間にネットワークリンクを提供するようにネットワークインターフェイスを利用し、かつ
前記ＬＳＤの外部にあるローカルデバイスに関連するＬＳＤドライバ以外のローカルアプリケーションと前記ＬＳＤとの間のローカル通信パスを提供し、前記ローカル通信パスが前記ネットワークリンクではなく、前記ローカルデバイスが前記ＨＤとローカル通信するように指示するように構成されるＬＳＤ。
【請求項１０】
請求項９記載のＬＳＤにおいて、
前記ＬＳＤは、
前記ＨＤからのポーリングに応じて、前記ＨＤに前記ＬＳＤ論理リクエストを送信し、前記ＨＤのポーリングがＨＤＦＳにより開始されたプロセスおよび前記ＬＳＤドライバのいずれからも独立し、かつ
前記ＬＳＤ論理リクエストとＬＳＤ割り込み信号とを関連付け、前記ＨＤが前記ＬＳＤにポーリングしない場合には、前記ＨＤの注意に対してＬＳＤ割り込み信号を高めることによって、前記ＨＤに指示するように構成されるＬＳＤ。
【請求項１１】
請求項９記載のＬＳＤにおいて、
前記ローカルデバイスは、前記ＨＤにより管理される第２のローカル記憶デバイス（ＬＳＤ）であるＬＳＤ。
【請求項１２】
請求項１０記載のＬＳＤにおいて、
前記ＨＤおよび前記ＬＳＤの外部にあるデバイスは、ネットワークデバイス（ＮＤ）であるＬＳＤ。
【請求項１３】
請求項１２記載のＬＳＤにおいて、
前記ネットワークがＩＰプロトコルベースのネットワークである場合には、前記ＬＳＤおよび前記第２のＬＳＤはそれぞれＬＳＤ  ＩＰアドレスおよび第２ＬＳＤ  ＩＰアドレスを付与され、前記ＨＤはＨＤ  ＩＰアドレスを付与され、前記ＮＤはＮＤ  ＩＰアドレスを付与されるＬＳＤ。
【請求項１４】
請求項９記載のＬＳＤにおいて、
前記コントローラは、ＬＳＤ動作パラメータのセットを検出するように構成され、その結果、検出論理リクエストとして前記ＬＳＤ論理リクエストを生成するＬＳＤ。
【請求項１５】
請求項１４記載のＬＳＤにおいて、
前記ＬＳＤ動作パラメータのセットを検出するために、前記コントローラは、
前記ＬＳＤの現在の状態と前記ＬＳＤの動作を統制する規則のセットとを比較するようにさらに構成されるＬＳＤ。
【請求項１６】
請求項１５記載のＬＳＤにおいて、
前記検出されたパラメータは、データコンテンツバックアップパラメータ、データコンテンツパラメータ、論理記憶パラメータ、物理記憶パラメータ、規則違反パラメータ、ＨＤ  ＩＰアドレスからなるグループから選択されるＬＳＤ。
【請求項１７】
ホストデバイスファイルシステム（ＨＤＦＳ）とＬＳＤドライバとを備えるホストデバイス（ＨＤ）と通信するローカル記憶デバイス（ＬＳＤ）によって実行される方法であって、前記ＬＳＤが、前記ＬＳＤと前記ＨＤとの間の通信パスを提供するＨＤ／ＬＳＤインターフェイス、前記ＨＤＦＳによって管理される第１の記憶エリア、並びに前記ＨＤ／ＬＳＤインターフェイスおよび前記第１の記憶エリアと通信するコントローラとを備える方法において、
前記ＨＤと通信するアプリケーションから受信されたコマンドに応じて、前記ＨＤＦＳによる介入なしに、前記第１の記憶エリア上の少なくとも１つの記憶動作を前記コントローラを利用して実行するステップを含み、
前記アプリケーションは、前記ＬＳＤドライバまたは前記ＨＤＦＳのいずれかとの通信パスを利用しない方法。
【請求項１８】
請求項１７記載の方法において、
少なくとも１つの記憶動作は、読み出し動作、書き込み動作、消去動作、ＬＳＤプロパティ検索動作、および第１記憶エリアプロパティ変更動作からなるグループから選択される方法。
【請求項１９】
請求項１８記載の方法において、
前記第１記憶エリアプロパティ変更動作は、残りの容量を変更すること、ファームウェアバージョンを変更すること、およびパーティショニングを変更することからなるグループから選択される方法。
【請求項２０】
請求項１９記載の方法において、
前記方法を実行するＬＳＤは、
前記ＨＤＦＳによって制御されず、前記ＨＤには認識されない第２の記憶エリアと、
前記ＨＤによる介入なしに、前記第２の記憶エリアと前記第１の記憶エリアとの間の通信を容易にするように配列されたインターフェイスと、
をさらに備える方法。
【請求項２１】
請求項２０記載の方法において、
前記方法を実行するＬＳＤの第１の記憶エリアは、ダミーコンテンツを含むダミーファイルを含む方法。
【請求項２２】
請求項２１記載の方法において、
前記記憶動作が書き込み動作の場合には、前記コントローラは、前記アプリケーションからのコマンドに基づいた前記ＨＤＦＳの介入なしに、前記ダミーファイル内のダミーコンテンツの少なくともいくつかを更新されたコンテンツとともに更新するように構成される方法。
【請求項２３】
請求項２２記載の方法において、
前記インターフェイスを経由して前記第２の記憶エリアから前記第１の記憶エリアに前記更新されたコンテンツを渡す方法。
【請求項２４】
請求項１７記載の方法において、
前記アプリケーションが前記ＨＤおよび前記ＬＳＤの外部にあるデバイスに存在する場合には、発見サーバは、前記ＨＤと前記アプリケーションとの間の通信パスの確立を容易にするように利用される方法。